【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
プロセッサを介して、少なくとも１つのジュエリーアイテムに関してジュエリーコンサルタントと通信するという要求をリモートデバイスから受信する工程であって、前記プロセッサと前記リモートデバイスは、ネットワークを介して電子通信状態にある、工程と、
前記要求に応答して、前記プロセッサを介して、前記ジュエリーコンサルタントと前記リモートデバイスとの間の双方向通信セッションを生成する工程であって、前記双方向通信セッションは、前記ジュエリーコンサルタント及び前記少なくとも１つのジュエリーアイテムのライブビデオ画像を前記リモートデバイスに送信する、工程と、
前記プロセッサを介して、前記少なくとも１つのジュエリーアイテムに対して少なくとも１つのテストを適用する工程と、
前記プロセッサを介して、前記少なくとも１つのジュエリーアイテムに対して前記少なくとも１つのテストを適用する工程から生成されたテスト結果を送信する工程と
を含む、方法。
【請求項２】
前記ジュエリーコンサルタントに対する少なくとも１つの所望の基準を受信する工程と、
前記双方向通信セッションに対して前記ジュエリーコンサルタントを選択する工程であって、前記ジュエリーコンサルタントは、前記少なくとも１つの所望の基準と一致する、工程と
を更に含む、請求項１に記載の方法。
【請求項３】
前記少なくとも１つの所望の基準は、性別、学歴、認定、ライセンス、経験レベル、販売数、肯定的なレビューの量及び否定的なレビューの量のうちの少なくとも１つを含む、請求項３に記載の方法。
【請求項４】
顕微鏡の下の前記少なくとも１つのジュエリーアイテムを表示デバイスに表示させる工程であって、前記顕微鏡は、前記少なくとも１つのジュエリーアイテムの少なくとも１つの拡大画像を出力する、工程と、
前記少なくとも１つのジュエリーアイテムの前記少なくとも１つの拡大画像を前記リモートデバイスに送信する工程と
を更に含む、請求項１に記載の方法。
【請求項５】
前記少なくとも１つのジュエリーアイテムの拡大画像を生成するという命令を前記リモートデバイスから受信する工程と、
前記少なくとも１つのジュエリーアイテムの前記拡大画像を前記リモートデバイスに送信する工程と
を更に含む、請求項４に記載の方法。
【請求項６】
ビデオカメラは、前記顕微鏡に装着される、請求項４に記載の方法。
【請求項７】
前記少なくとも１つのテストは、
品質関連テスト及び
信頼性関連テスト
のうちの少なくとも１つを含む、請求項１に記載の方法。
【請求項８】
前記少なくとも１つのジュエリーアイテムに向けられている照明を調整するという要求を受信する工程
を更に含む、請求項１に記載の方法。
【請求項９】
カスタム設定を設計する為の対話型設計ツールを生成する工程であって、前記対話型設計ツールは、前記カスタム設定の電子テンプレートを備え、前記カスタム設定は、複数のセクションを備える、工程と、
前記カスタム設定の第１のセクションの選択を検出する工程と、
前記カスタム設定の前記第１のセクションに対して少なくとも２つのカスタマイズ可能なオプションを提供する工程と、
前記少なくとも２つのカスタマイズ可能なオプションのうちの１つの選択を受信する工程と、
前記電子テンプレート上に前記少なくとも２つのカスタマイズ可能なオプションのうちの前記選択された１つの表現を生成する工程と
を更に含む、請求項１に記載の方法。
【請求項１０】
前記カスタム設定の電子リンクを送信するという要求を受信する工程であって、前記要求は、前記電子リンクの受取人のＥメールアドレスを含む、工程と、
前記電子リンク付きのＥメールを前記Ｅメールアドレスに送信する工程と
を更に含む、請求項９に記載の方法。
【請求項１１】
コンピュータを、
少なくとも１つのジュエリーアイテムに関してジュエリーコンサルタントと通信するという要求をリモートデバイスから受信する手段と、
前記要求に応答して、前記ジュエリーコンサルタントと前記リモートデバイスとの間の双方向通信セッションを生成する手段であって、前記双方向通信セッションは、前記ジュエリーコンサルタント及び前記少なくとも１つのジュエリーアイテムのライブビデオ画像を前記リモートデバイスに送信する、手段と、
前記少なくとも１つのジュエリーアイテムに対して少なくとも１つのテストを適用する手段と、
前記少なくとも１つのジュエリーアイテムに対して前記少なくとも１つのテストを適用する手段にて生成されたテスト結果を送信する手段と、
として機能させるプログラム。
【請求項１２】
前記コンピュータを、
前記ジュエリーコンサルタントに対する少なくとも１つの所望の基準を受信する手段と、
前記双方向通信セッションに対して前記ジュエリーコンサルタントを選択する手段であって、前記ジュエリーコンサルタントは、前記少なくとも１つの所望の基準と一致する、手段と、
として機能させる請求項１１に記載のプログラム。
【請求項１３】
前記少なくとも１つの所望の基準は、性別、学歴、認定、ライセンス、経験レベル、販売数、肯定的なレビューの量及び否定的なレビューの量のうちの少なくとも１つを含む、
請求項１２に記載のプログラム。
【請求項１４】
前記コンピュータを、
顕微鏡の下の前記少なくとも１つのジュエリーアイテムを表示デバイスに表示させる手段であって、前記顕微鏡は、前記少なくとも１つのジュエリーアイテムの少なくとも１つの拡大画像を出力する、手段と、
前記少なくとも１つのジュエリーアイテムの前記少なくとも１つの拡大画像を前記リモートデバイスに送信する手段と、
として機能させる請求項１１に記載のプログラム。
【請求項１５】
前記コンピュータを、
前記少なくとも１つのジュエリーアイテムの拡大画像を生成するという命令を前記リモートデバイスから受信する手段と、
前記少なくとも１つのジュエリーアイテムの前記拡大画像を前記リモートデバイスに送信する手段と、
として機能させる請求項１４に記載のプログラム。
【請求項１６】
ビデオカメラは、前記顕微鏡に装着される、請求項１４に記載のプログラム。
【請求項１７】
前記少なくとも１つのテストは、
品質関連テスト及び
信頼性関連テスト
のうちの少なくとも１つを含む、請求項１４に記載のプログラム。
【請求項１８】
前記コンピュータを、
前記少なくとも１つのジュエリーアイテムに向けられている照明を調整するという要求を受信する手段、
として機能させる請求項１４に記載のプログラム。
【請求項１９】
前記コンピュータを、
カスタム設定を設計する為の対話型設計ツールを生成する手段であって、前記対話型設計ツールは、前記カスタム設定の電子テンプレートを備え、前記カスタム設定は、複数のセクションを備える、手段と、
前記カスタム設定の第１のセクションの選択を検出する手段と、
前記カスタム設定の前記第１のセクションに対して少なくとも２つのカスタマイズ可能なオプションを提供する手段と、
前記少なくとも２つのカスタマイズ可能なオプションのうちの１つの選択を受信する手段と、
前記電子テンプレート上に前記少なくとも２つのカスタマイズ可能なオプションのうちの前記選択された１つの表現を生成する手段と、
として機能させる請求項１４に記載のプログラム。
【請求項２０】
前記コンピュータを、
前記カスタム設定の電子リンクを送信するという要求を受信する手段であって、前記要求は、前記電子リンクの受取人のＥメールアドレスを含む、手段と、
前記電子リンク付きのＥメールを前記Ｅメールアドレスに送信する手段と、
として機能させる請求項１９に記載のプログラム。